(57)【要約】【課題】装置全体の大型化を防止し、被検者に装置が接触しないようにして安全な測定を実現する。【解決手段】スリット光光源２からの光を照射した被検眼１からの戻り光を当該スリット光光源２側に屈折させる一部楔プリズム形状の平行平板１３（光路変更手段）１３と、屈折された光を角膜厚測定光学系を介して撮像素子１８に導いて被検眼１の角膜断面像を取得する角膜断面像取得部１０２を有する。【選択図】図１
2012217683.tif 000002
【特許請求の範囲】
【請求項１】
光源からの光を照射した被検眼からの戻り光を当該光源側に屈折させる光路変更手段と、
前記屈折された光を角膜厚測定光学系を介して撮像素子に導いて前記被検眼の角膜断面像を取得する取得手段と、
を有することを特徴とする眼科装置。
【請求項２】
前記被検眼の角膜にノズルの内部から気体を吹き付ける気体吹き付け手段を更に有することを特徴とする請求項１に記載の眼科装置。
【請求項３】
前記光路変更手段は、前記光源からの光を前記ノズルの内部から照射した前記被検眼からの散乱光を前記ノズル側に屈折させることを特徴とする請求項２に記載の眼科装置。
【請求項４】
前記気体吹き付け手段により気体が吹き付けられた際の前記角膜の平面状態における空気室の圧力値に基づいて眼圧値を計測する眼圧値計測手段と、
前記角膜断面像に基づいて前記被検眼の角膜厚を測定する角膜厚測定手段と、
前記角膜厚に基づいて前記眼圧値を補正する補正手段と、
を更に有することを特徴とする請求項２又は３に記載の眼科装置。
【請求項５】
前記取得手段は、前記ノズルを介して光束を照射した前記被検眼の角膜からの散乱光に基づいて当該被検眼の角膜断面像を取得することを特徴とする請求項２乃至４のいずれか１項に記載の眼科装置。
【請求項６】
前記光路変更手段は、前記ノズルの外周の平行平板の一部が楔形状のプリズムで構成されていることを特徴とする請求項２乃至５のいずれか１項に記載の眼科装置。
【請求項７】
前記光路変更手段は、前記ノズルの外周の平行平板の一部に楔形状のプリズムが別体で接合されて構成されていることを特徴とする請求項２乃至５のいずれか１項に記載の眼科装置。
【請求項８】
前記角膜厚測定光学系には、前記光路変更手段の近傍に対物レンズが配置されていることを特徴とする請求項２乃至７のいずれか１項に記載の眼科装置。
【請求項９】
前記ノズルには、前記対物レンズの近傍に、前記被検眼からの散乱光を透過する開口部を有することを特徴とする請求項８に記載の眼科装置。
【請求項１０】
前記対物レンズからの光路を略平行光に構成し、前記撮像素子を被検者から遠ざけるように配置にしたことを特徴とする請求項８又は９に記載の眼科装置。
【発明の詳細な説明】
【技術分野】
【０００１】
本発明は、被検眼の眼圧値を測定する眼科装置に関するものである。また、眼圧値は、角膜厚により真の値からずれるので、これを補正するために、本発明の眼科装置では、角膜厚を計測する。この角膜厚の計測の際には、断面像撮影用光源から発せられた光を被検眼前眼部に向けてスリット光を投影する。特に、本発明では、このスリット光は角膜内で散乱光となり、この角膜断面散乱光を受光光学系で受光して角膜断面像を得て補正値とする角膜断面像撮影機能を有する眼科装置に関するものである。
【背景技術】
【０００２】
従来例の、角膜厚測定機能を有する非接触式眼圧計（眼科装置）は、角膜厚測定の際に、気体吹付ノズルの内部をスリット光が透過するように構成し、角膜の断面で散乱光を発生させて所定の位置に設定された撮像素子で受光する。そして、従来例の眼科装置では、ここで得られた角膜厚を補正値として使用する。
【０００３】
ここで、前眼部断面像を撮像する撮像素子と、投影光学系による前眼部からの反射光を撮像素子に導く撮像レンズとを有し、投影光学系による投影像の光断面、撮像レンズの主平面、及び、撮像素子の撮像面の延長面が一軸で交わる配置となる前眼部断面撮影光学系を有することが、特許文献１に開示されている。
【０００４】
また、角膜厚測定手段が、被検眼の斜め方向の第１軸から被検眼の角膜にスリット光束を投影するスリット及び投影レンズを持つ投影光学系であって、スリット光束がノズルの中心軸方向から被検眼の角膜に投影されたときと同じとなるように、スリット及び投影レンズがシャインプルーフの原理に基づいて配置された投影光学系を有することが、特許文献２に開示されている。
【０００５】
被検眼の斜め方向の第１軸から被検眼の角膜にスリット光束を投影するスリット及び投影レンズを持つ投影光学系を有することが、特許文献３に開示されている。
【先行技術文献】
【特許文献】
【０００６】
【特許文献１】特開２００９−２０１６３６号公報
【特許文献２】特開２００８−１１８７８号公報
【特許文献３】特開２０００−７０２２４号公報
【発明の概要】
【発明が解決しようとする課題】
【０００７】
被検眼前眼部の角膜断面からの散乱光を受光する光学系は、角膜からの散乱光が弱いので、コントラスト比約６０程度が得られる光束が必要である。従来、被検者の鼻横下付近に配置していた受光光学系及び保持部材と外装部材でかなりのスペースを使っていたため、鼻の高い人や鼻の大きい人にその一部が接触するなどの不快感を与える可能性があった。また、これを避けるために被検者の鼻横付近に配置していた受光光学系及び保持部材を被検者の鼻下位置まで移動配置すると、受光光束がさらに広がってレンズ径が増大しレンズ保持部材も大きくなり、結像位置も伸びてこの位置に撮像素子を配置することになる。したがって、従来の眼科装置では、受光系が肥大化することによって装置全体が大型化してしまうという課題があった。
【０００８】
本発明は、このような問題点に鑑みてなされたものであり、装置全体の大型化を防止し、被検者に装置が接触しないようにして安全な測定を実現する眼科装置を提供することを目的とする。
【課題を解決するための手段】
【０００９】
本発明の眼科装置は、光源からの光を照射した被検眼からの戻り光を当該光源側に屈折させる光路変更手段と、前記屈折された光を角膜厚測定光学系を介して撮像素子に導いて前記被検眼の角膜断面像を取得する取得手段と、を有する。
【発明の効果】
【００１０】
本発明によれば、装置全体の大型化を防止し、被検者に装置が接触しないようにして安全な測定を実現することができる。
【図面の簡単な説明】
【００１１】
【図１】第１の実施形態に係る眼科装置の概略構成の一例を示す模式図である。
【図２】第１の実施形態を示し、モニタ画面に表示された角膜断面像の一例を示す模式図である。
【図３】従来例を示し、被検者鼻の位置と受光光学系との位置関係を示す模式図である。
【図４】第１の実施形態を示し、被検者鼻の位置と受光光学系との位置関係を示す模式図である。
【図５】第２の実施形態を示し、被検眼１の位置と受光光学系との位置関係を示す模式図である。
【発明を実施するための形態】
【００１２】
以下に、図面を参照しながら、本発明を実施するための形態（実施形態）について説明する。
【００１３】
（第１の実施形態）
図１は、第１の実施形態に係る眼科装置の概略構成の一例を示す模式図である。ここで、図１には、角膜厚測定に関する構成と共に従来と同様の眼圧測定に関する構成も複合して記載している。
【００１４】
ここでは、まず、従来と同様の眼圧測定に関する構成から先に説明する。
【００１５】
＜被検眼観察＞
測定開始時に可視光である固視灯光源３８を点灯し、被検眼１にこの固視灯光源３８の固視灯光軸３９に基づく光を固視させる。この状態で被検眼観察を進める。まず、被検眼１の前眼画像は、一部楔プリズム形状の平行平板１３の平面部から透過され、観察受光レンズ１１で光路変更され、空気室隔壁ガラス１０を透過してハーフミラー９を透過する。そして、被検眼１の前眼画像（ハーフミラー９を透過した観察光軸２１に基づく画像）は、スプリット用楔プリズムＡ２３、スプリット用楔プリズムＢ２４の内径側を透過し観察結像レンズ２５によって観察用撮像素子２６に結像する。そして、前眼部の画像は、不図示のモニタ等で観察できる。
【００１６】
＜被検眼アライメント＞
続いて、被検眼観察で不図示のモニタ等の略中心付近に前眼部の画像が表示されている状態で眼圧測定光源３１から赤外光を被検眼１に照射する。この光束は被検眼１の角膜に照射されて角膜反射像として略瞳位置に結像し、角膜輝点２０として被検眼１と共に観察される。角膜輝点２０は、角膜反射光として一部楔プリズム形状の平行平板１３、観察受光レンズ１１、空気室４６、空気室隔壁ガラス１０、ハーフミラー９を透過して観察・スプリット用絞り２２を通過する。そして、この角膜輝点２０は、スプリット用楔プリズムＡ２３及びスプリット用楔プリズムＢ２４によって分割されて観察結像レンズ２５により観察用撮像素子２６に結像される。この角膜輝点情報をもとに、観察用撮像素子２６のＸ軸に対して均等振り分けでＹ軸に対して軸上に載るように不図示の駆動機構を駆動させることで、被検眼１が観察受光レンズ１１に対し被検眼アライメントが完了する。
【００１７】
＜眼圧測定機能＞
続いて、被検眼アライメントが完了した時点で、まず、眼圧測定光源３１からの光束は、投影アパーチャ３２で所定の形状にされ、投影レンズ３３を透過する。投影レンズ３３を透過した投影光軸３４に基づく光束は、さらに、ハーフミラー４０を透過してハーフミラー３５で反射される。さらに、光束は、結像レンズ８によりハーフミラー９で反射され、空気室隔壁ガラス１０を透過し気体吹き付けノズル１２内部を通過して角膜輝点２０に集光する。
【００１８】
この状態で、ピストン駆動源４１を回転駆動し連結アーム４２を介してピストン４３を押し出すと、シリンダ４４の内部気体は、連結管４５を通り空気室４６内で圧力が高まると同時に気体吹き付けノズル１２内部を通り被検眼１に吹き付けられる。このピストン駆動源４１〜気体吹き付けノズル１２の構成は、被検眼１の角膜に気体吹き付けノズル１２の内部から気体を吹き付ける気体吹き付け手段を構成する。この気体の圧力により、被検眼１の角膜は変形され平面から凹面へと変化して再び平面に戻り、さらに平常状態に復帰する。そして、この最初の角膜平面状態時における空気室４６内の圧力値を圧力計４７で読み取る。この圧力計４７で圧力値を読み取る時期は、最初の角膜平面状態時に受光アパーチャ３６で光束が絞られ、受光素子３７での反射光の光量が最大となる時期である。眼圧値計測部１０１は、そのときの空気室４６の圧力値（圧力計４７による圧力値）に基づいて眼圧値に換算し、眼圧値を求める。圧力値と眼圧値との関係は、眼圧値が概知の被検眼と多くの臨床データで圧力値との換算式が決られており、当該圧力値に基づき眼圧値が求められる。
【００１９】
次に、本発明に関する角膜厚測定について説明する。
【００２０】
＜角膜厚測定機能＞
角膜厚測定機能は、角膜の角膜断面像に基づき被検眼１の角膜厚を測定する。
被検眼アライメントが完了した時点で、まず、スリット光光源２からの光束は、拡散板３により略均一光量にされる。その後、略均一光量にされた光束は、投影チャート４に作られた細く均一な幅の水平なスリット形状を透過し、さらに、投影レンズ５を透過する。その後、投影レンズ５を透過した投影後軸６に基づく光束は、２つのハーフミラー７及び９で反射されて被検眼１の角膜に照射される。
【００２１】
この照射光は、被検眼１の角膜内部で散乱光となり、光軸上斜め方向から観察できる。この散乱光は、受光光束１４として一部楔プリズム形状の平行平板１３の楔形状プリズムを透過する際に光路が曲げられ、受光対物レンズ１５の鉛直方向から入射する。このとき、一部楔プリズム形状の平行平板１３を保持する対物レンズ保持鏡筒１９には、受光光学系の受光光束１４、受光対物レンズ１５、光路変更後の光軸１６を妨げないように開口部が設けられている。より具体的には、気体吹き付けノズル１２には、受光対物レンズ１５の近傍に、被検眼１の前眼部（角膜）からの散乱光を透過する開口部が設けられている。さらに、この散乱光は、結像レンズ１７で集光され、撮像素子１８上に結像して画像として取り込まれる。ここで、取り込まれた画像は、図２のモニタ画面６６に角膜断面像６７として角膜表面が湾曲した形状で表示される。
【００２２】
ここで、一部楔プリズム形状の平行平板１３、受光対物レンズ１５及び結像レンズ１７は、角膜厚測定光学系を構成し、一部楔プリズム形状の平行平板１３には、前眼部からの散乱光を被検者から遠ざけるように屈折させる楔形状プリズムが設けられている。この楔形状プリズムは、光路変更手段を構成する。即ち、この楔形状プリズムである光路変更手段は、スリット光光源２からの光を照射した被検眼１からの戻り光を当該スリット光光源側に屈折させるものである。より詳細には、この楔形状プリズムである光路変更手段は、スリット光光源２からの光を気体吹き付けノズル１２の内部から照射した被検眼１からの散乱光を当該気体吹き付けノズル側に屈折させるものである。そして、角膜断面像取得部１０２は、前記屈折された光を角膜厚測定光学系を介して導かれた撮像素子１８から被検眼１の角膜断面像を取得する。また、楔形状プリズムの近傍に受光対物レンズ１５が配置されている。
【００２３】
角膜厚測定部１０３は、角膜断面像取得部１０２で取得した角膜断面像に基づいて被検眼１の角膜厚を測定する。眼圧値補正部１０４は、角膜厚測定部１０３で測定された被検眼１の角膜厚に基づいて前記眼圧値を補正する。
【００２４】
図３は、従来例を示し、被検者鼻の位置と受光光学系との位置関係を示す模式図である。
受光光束５２は、図１の受光光束１４と光束の広がり角度が等しく、受光レンズ５３が被検眼１から離れている距離に比例して裾野が広がり受光レンズ５３の径も大きくなる。このため、受光レンズ５３が被検者鼻５１に接近し接触しやすくなる。
【００２５】
図４は、第１の実施形態を示し、被検者鼻の位置と受光光学系との位置関係を示す模式図である。図４において、図１，図３と同様の構成には、同じ符号を付している。
被検眼１から得られる受光光束１４の角度は、図１と同一である。気体吹き付けノズル１２の外周の一部楔プリズム形状の平行平板１３の楔形状プリズム（光路変更手段）により、光軸が、被検者より離れる方向へ（即ち、気体吹き付けノズル１２側へ）屈折させられ、被検者鼻５１の位置から遠ざけられている。
【００２６】
さらに、受光対物レンズ１５によって光路変更後の光軸１６を略平行光とすることで結像面を被検者鼻５１の位置から遠ざけられるため、撮像素子１８も同様に被検者から遠ざけられることから、不図示の保持部材も十分離れた位置に構成できる。これにより、眼圧測定及び角膜断面像撮影（角膜厚測定）を行う際に、被検者に装置が接触しないようにして安全な測定を行うことができる。
【００２７】
（第２の実施形態）
図５は、第２の実施形態を示し、被検眼１の位置と受光光学系との位置関係を示す模式図である。図５において、図１と同様の構成には、同じ符号を付している。
第２の実施形態では、第１の実施形態の被検眼観察、被検眼アライメント、眼圧測定は同一であり、角膜断面像の撮影方法も同じである。第２の実施形態において、第１の実施形態と異なるのは、第１の実施形態では一部楔プリズム形状の平行平板１３としていたところを、第２の実施形態では受光系の光路変更手段の形状を平行平板５４と楔形状プリズム５５として別体で製作し接合した点である。
【００２８】
（第３の実施形態）
上述した第１及び第２の実施形態では、光源からの光をノズル内部から照射した被検眼１からの散乱光を用いて角膜厚測定光学系を介して測定を行う形態であったが、本発明においては、必ずしもこの形態に限定されるものではない。
例えば、特開２０００−６０８０１号公報の図１に示すように、被検眼の斜め上方向に設けられた光源から照射した被検眼１からの散乱光を用いて、被検眼の斜め下方向に設けられた、第１及び第２の実施形態に係る角膜厚測定光学系を介して測定を行う形態であってもよい。即ち、被検眼から正反射した散乱光を用いて測定を行う形態であってもよい。
【００２９】
以上説明した本発明の各実施形態では、角膜厚測定光学系に、前眼部からの散乱光を、被検者から遠ざけるように（即ち、スリット光光源２側に）屈折させる光路変更手段を設けるようにした。かかる構成によれば、眼圧測定及び角膜厚測定を行う非接触式眼圧計において、装置全体の大型化を防止し、被検者に装置が接触しないようにして安全な測定を実現することができるという作用・効果を奏する。
また、本発明の第２の実施形態では、光路変更手段として、気体吹き付けノズル１２の外周の平行平板５４の一部に楔形状プリズム５５を別体で接合して構成するようにした。かかる構成によれば、上述した作用・効果に加えて、光路変更手段の製作時の自由度を高めることができる。
また、本発明の第１及び第２の実施形態では、気体吹き付けノズル１２において、受光対物レンズ１５の近傍に、前眼部からの散乱光を透過する開口部を有するようにした。かかる構成によれば、光路変更手段により変更された光束が保持部材（対物レンズ保持鏡筒１９）との干渉を避けるための配置制約を減らすことができる。
また、本発明の各実施形態では、受光対物レンズ１５からの光路を略平行光に構成し、撮像素子１８を被検者から遠ざけるように配置にした。かかる構成によれば、上述した作用・効果に加えて、受光対物レンズ１５の平行光束手段により撮像素子１８の配置自由度を高めるため、装置全体として小型化が可能である。
【００３０】
なお、前述した本発明の各実施形態は、何れも本発明を実施するにあたっての具体化の例を示したものに過ぎず、これらによって本発明の技術的範囲が限定的に解釈されてはならないものである。即ち、本発明はその技術思想、又は、その主要な特徴から逸脱することなく、様々な形で実施することができる。
【符号の説明】
【００３１】
１  被検眼、１１  観察受光レンズ、１２  気体吹き付けノズル、１３  一部楔プリズム形状の平行平板、１４  受光光束、１５  受光対物レンズ、１６  光路変更後の光軸、１７  結像レンズ、１８  撮像素子、５１  被検者鼻
【図１】
2012217683.tif 000003
【図２】
2012217683.tif 000004
【図３】
2012217683.tif 000005
【図４】
2012217683.tif 000006
【図５】
2012217683.tif 000007